(57)【特許請求の範囲】
【請求項１】
第１ないし第３の辺部材から成り、第２の辺部材の両端部にそれぞれ前記第１および第３の辺部材の一方の端部が接続されて平面視略コの字形を呈する枠体と、前記枠体の内面に端部が固定されて前記枠体の内側のほぼ全体に延在する保持部とを含み、おおむね板状を呈する平面視略矩形の表示装置が前記保持部の上に固定され、前記保持部は筐体に直接的または間接的に固定される表示装置の保持構造であって、
前記第１ないし第３の辺部材のうちの少なくとも１つの辺部材の内面と、対向する前記保持部の端部との間に、前記辺部材のほぼ全長にわたり隙間が形成されていることを特徴とする表示装置の保持構造。
【請求項２】
第１ないし第３の辺部材から成り、第２の辺部材の両端部にそれぞれ前記第１および第３の辺部材の一方の端部が接続されて平面視略コの字形を呈する枠体と、前記枠体の内面に端部が固定されて前記枠体の内側のほぼ全体に延在する保持部とを含み、おおむね板状を呈する平面視略矩形の表示装置が前記保持部の上に固定され、前記保持部は筐体に直接的または間接的に固定される表示装置の保持構造であって、
前記第１ないし第３の辺部材のうちの少なくとも１つの辺部材の内面と、対向する前記保持部の端部との間に、前記辺部材のほぼ全長にわたり隙間が形成されており、
前記保持部は板状を呈し、前記枠体の前記第２の辺部材と反対側の、前記第１および第３の辺部材の先端部近傍の箇所にはそれぞれ、前記枠体の内外を結ぶ貫通孔が形成され、前記貫通孔に楔を挿入したとき、前記保持部の、前記表示装置と反対側の面は前記楔の前記保持部側の面にほぼ接することを特徴とする表示装置の保持構造。
【請求項３】
前記第１ないし第３の辺部材の内面と、対向する前記保持部の端部との間に、前記辺部材のほぼ全長にわたりそれぞれ隙間が形成され、前記第１および第２の辺部材の接続部近傍において前記保持部の端部の一部が前記第１および第２の辺部材のいずれか一方または両方の内面に固定され、前記第３の辺部材の、前記第２の辺部材と反対側の端部近傍において前記保持部の端部の一部が前記第２の辺部材の内面に固定されていることを特徴とする請求項１又は２記載の表示装置の保持構造。
【請求項４】
前記表示装置には、配線パターンが形成されたフレキシブル回路基板またはＣＯＦの一端が接続され、前記フレキシブル回路基板またはＣＯＦは、前記枠体の前記第２の辺部材と反対側の、前記第１および第３の辺部材の先端部側から前記枠体の外に導出されていることを特徴とする請求項１又は２記載の表示装置の保持構造。
【請求項５】
前記表示装置は液晶表示装置であることを特徴とする請求項１又は２記載の表示装置の保持構造。
【請求項６】
携帯型電子機器の筐体に組み込まれていることを特徴とする請求項１又は２記載の表示装置の保持構造。
【発明の詳細な説明】
【０００１】
【発明の属する技術分野】
本発明は、携帯型電子機器などに組み込む表示装置の保持機構に関するものである。
【０００２】
【従来の技術】
近年、特に移動体通信機器に対する需要が急増し、中でも公衆通信用の自動車電話、携帯電話、ページャーなどが通信サービスの充実と通信料金の低下から企業や個人に広く普及して利用されている。これら移動通信機器は音声の送受信や数字情報の受信だけでなく、情報サービスや電子メールなどの文字情報の受信にも利用が広がっており、表示文字数増加のために液晶表示装置（以下、ＬＣＤとも記す）の面積が拡大する傾向にある。また、これらの機器は軽薄短小化の一途をたどっているため、機器全体の大きさに対するＬＣＤの占める割合が大きくなってきている。
【０００３】
ＬＣＤにはＬＣＤの駆動および表示を制御するＬＣＤドライバーＩＣ（集積回路）を接続して使用する。この接続方法としては、配線パターンを形成したフレキシブル回路基板上にＬＣＤドライバーＩＣをボンディングワイヤーで実装したＴＣＰ（Ｔａｐｅ  Ｃａｒｒｉｅｒ  Ｐａｃｋａｇｅ）、あるいはＬＣＤドライバーＩＣを金バンプにより実装したＣＯＦ（Ｃｈｉｐ  Ｏｎ  Ｆｌｅｘｉｂｌｅｐｒｉｎｔｅｄ  Ｃｉｒｃｕｉｔ）をヒートシールまたはＡＣＦ樹脂を介してＬＣＤの端子部に熱加圧接着して、電気的・機械的に接続する方法が一般的である。
【０００４】
また、ＬＣＤはＬＣＤフレームによって位置決めされると共に、同フレームによりＬＣＤが落下衝撃、曲げ、捻りなどの機械的ストレスで破損することが防止される。ＬＣＤフレームはＬＣＤを保持する一種の枠体であり、プリント配線基板上に設置される。
【０００５】
一方、プリント配線基板への上記ＴＣＰあるいはＣＯＦの実装方法としては、一般に、移動通信機器の軽薄短小化のために、ＬＣＤとＴＣＰ／ＣＯＦとの接続部近傍からＴＣＰ／ＣＯＦをＬＣＤの下方向に向かって２つに折り畳むように折り曲げ、ＬＣＤフレームとプリント配線基板との間にＴＣＰ／ＣＯＦを配置する方法が採られる。
このような実装方法では、ＴＣＰ／ＣＯＦをＬＣＤフレームとプリント配線基板の間に通さなければならないことから、図８の（Ａ）ないし（Ｃ）に示したように、ＬＣＤフレーム１０２は、ＴＣＰ／ＣＯＦの折り曲げ面側以外の３辺においてのみＬＣＤを囲む平面視略コの字形の枠体１０３により構成される。
【０００６】
また、ＬＣＤは２枚のガラス板の間に液晶材料を封入したもので、各ガラス板の内側の面には透明電極（ＩＴＯ）が形成されており、ＴＣＰ／ＣＯＦとの接続に使用する電極部分は、透明電極を露出させる必要があるため、ガラス板が一枚だけの構造になっている。このようなＬＣＤは図８における保持部１０４上に載置されてＬＣＤフレーム１０２により保持される。そして、ＬＣＤに接続したＴＣＰ／ＣＯＦは、コの字の開放部１０６よりＬＣＤフレーム１０２の外に導出される。
【０００７】
【発明が解決しようとする課題】
しかし、以上のような従来技術では、移動通信機器に落下衝撃、曲げ、捻りなどの機械的ストレスが加わった場合、ＬＣＤフレーム１０２は上述のように３辺だけから成るコの字形の枠体１０３によりに形成されているため、ＬＣＤが強度不足で撓み易いという欠点があった。
そのため、ＬＣＤフレーム１０２に保持されたＬＣＤに機械的ストレスが集中し、ＬＣＤはガラスで構成され、その性質上外力への追従性に欠けるため、容易に割れやひびが発生してしまい、そのような場合には表示内容を視認することが困難になっていた。
本発明はこのような問題を解決するためになされたもので、その目的は、ＬＣＤなどの表示装置を収容した筐体に落下衝撃、曲げ、捻りなどの機械的ストレスが加わった場合でも、表示装置に大きな力が加わらないようにした表示装置の保持構造を提供することにある。
【０００８】
【課題を解決するための手段】
本発明は、上記目的を達成するため、第１ないし第３の辺部材から成り、第２の辺部材の両端部にそれぞれ前記第１および第３の辺部材の一方の端部が接続されて平面視略コの字形を呈する枠体と、前記枠体の内面に端部が固定されて前記枠体の内側のほぼ全体に延在する保持部とを含み、おおむね板状を呈する平面視略矩形の表示装置が前記保持部の上に固定され、前記保持部は筐体に直接的または間接的に固定される表示装置の保持構造であって、前記第１ないし第３の辺部材のうちの少なくとも１つの辺部材の内面と、対向する前記保持部の端部との間に、前記辺部材のほぼ全長にわたり隙間が形成されていることを特徴とする。
また、本発明は、第１ないし第３の辺部材から成り、第２の辺部材の両端部にそれぞれ前記第１および第３の辺部材の一方の端部が接続されて平面視略コの字形を呈する枠体と、前記枠体の内面に端部が固定されて前記枠体の内側のほぼ全体に延在する保持部とを含み、おおむね板状を呈する平面視略矩形の表示装置が前記保持部の上に固定され、前記保持部は筐体に直接的または間接的に固定される表示装置の保持構造であって、前記第１ないし第３の辺部材のうちの少なくとも１つの辺部材の内面と、対向する前記保持部の端部との間に、前記辺部材のほぼ全長にわたり隙間が形成されており、前記保持部は板状を呈し、前記枠体の前記第２の辺部材と反対側の、前記第１および第３の辺部材の先端部近傍の箇所にはそれぞれ、前記枠体の内外を結ぶ貫通孔が形成され、前記貫通孔に楔を挿入したとき、前記保持部の、前記表示装置と反対側の面は前記楔の前記保持部側の面にほぼ接することを特徴とする。
【０００９】
したがって、本発明の表示装置の保持構造では、筐体に機械的なストレスが加わり枠体が変形したとしても、上述のように枠体を構成する第１ないし第３の辺部材のうちの少なくとも１つの辺部材の内面と、対向する保持部の端部との間に、辺部材のほぼ全長にわたり隙間が形成されているので、保持部に加わる力は大幅に緩和され、表示装置に損傷が生じることを防止できる。
【００１０】
【発明の実施の形態】
次に本発明の実施の形態例について図面を参照して説明する。
図１の（Ａ）は本発明による表示装置の保持構造の一例を示す平面図、（Ｂ）は正面図、（Ｃ）は側面図、図２は図１の表示装置の保持構造を構成するＬＣＤフレームをプリント配線基板に取り付けた状態を示す側面図、図３の（Ａ）は図１の表示装置の保持構造により保持するＬＣＤを示す平面図、（Ｂ）は側面図である。
また、図４は実施の形態例の表示装置の保持構造を含むページャーの電気的な構成を示すブロック図、図５は同ページャーの分解斜視図、図６は同ページャーの分解側面図である。
【００１１】
まず、図４を参照して本発明の表示装置の保持構造を備えたページャーの電気的な構成および動作について簡単に説明する。
図４に示したページャー１６は、アンテナ２２、無線部２３、復調器２４、安定化電源２５、制御部２６、ＬＣＤドライバーＩＣ１０、ＬＣＤ２、スイッチ２７、ならびに電池２８により構成されている。
無線部２３はアンテナ２２が受信した電波を復調可能な周波数まで変換する。復調器２４は、この変換後の受信信号より情報信号を取り出し、制御部２６はその情報信号に対して必要な処理を行う。
制御部２６はまた、ＬＣＤドライバーＩＣ１０へＬＣＤ２への表示命令を出力し、ＬＣＤドライバーＩＣ１０はこの表示命令にしたがってＬＣＤ２を駆動する。スイッチ２７は制御部２６に対してページャー１６の動作を命令するためのものであり、利用者はこのスイッチ２７を操作して、例えばページャー１６の電源投入の操作や受信したメッセージの表示などを行う。
【００１２】
電池２８はページャー１６の電源であり、制御部２６、無線部２３、ならびに復調器２４へ電源を供給する。なお、無線部２３と復調器２４へは安定化電源２５を経由して安定した電圧を供給する。
ここで、アンテナ２２、無線部２３、復調器２４、ならびに安定化電源２５はＲＦ基板２９上に実装され、一方、制御部２６、ＬＣＤドライバーＩＣ１０、ＬＣＤ２、ならびにスイッチ２７はＡＦ基板２９Ａ上に実装されている。
【００１３】
次に、図５および図６を参照して、ページャー１６の構造について説明する。本実施の形態例のページャー１６は機構的には、表ケース３１、裏ケース３２、上記アンテナ２２、上記ＲＦ基板２９、上記ＡＦ基板２９Ａ、上記スイッチ２７、上記電池２８、ＬＣＤモジュール１、ＬＣＤフレーム１３、導光板１４を含んで構成されている。
【００１４】
表ケース３１はページャー１６のケース（筐体）の表側を構成し、ＬＣＤ２に外部からストレスがかからないように保護しており、また表ケース３１にはＬＣＤ２の表示を視認するための透明な部分であるスクリーン３３が取り付けられている。
裏ケース３２はページャー１６のケースの裏側を構成している。ページャー１６の受信回路が搭載されたＲＦ基板２９は裏ケース３２側に収容され、ＡＦ基板２９ＡはＲＦ基板２９の上方に配置してＲＦ基板２９に対し電気的・機械的に接続されている。ＡＦ基板２９Ａには上述のようにページャー１６の機能を制御する上記制御部２６が上記スイッチ２７と共に搭載されている。ＡＦ基板２９Ａ上には、ＬＣＤモジュール１を保持するＬＣＤフレーム１３が取り付けられ、そのためＡＦ基板２９ＡにはＬＣＤフレーム１３の爪１７の取り付け穴３５が形成されている。また、ＡＦ基板２９ＡにはＴＣＰ固定用ランド３６、およびＬＥＤランプ３７が設けられている。電池２８はＲＦ基板２９近傍の裏ケース３２内に収容される。
【００１５】
ＬＣＤモジュール１は図３に示したように、ＬＣＤ２、ＴＣＰ９、ならびにＬＣＤドライバーＩＣ１０により構成されている。
ＬＣＤ２はおおむね板状を呈し、表ガラス４および裏ガラス５を板面を対向させて張り合わせた構造となっており、その表面および裏面にそれぞれ表偏光板３と裏偏光板６とが装着されている。
ＴＣＰ９は配線パターンが形成されたフレキシブル回路基板であり、ＴＣＰ９にはＬＣＤドライバーＩＣ１０、外部接続用端子１１、ＴＣＰ折り曲げ部１２が設けられている。ＴＣＰ９は異方性導電膜のＡＣＦ樹脂８により、端部をＬＣＤ２の端子部に熱加圧接着することでＬＣＤ２に対して電気的・物理的に接続されている。
【００１６】
ＬＣＤドライバーＩＣ１０はＬＣＤ２を駆動・制御するもので、ＴＣＰ９上に載置してＴＣＰ９に対しボンディングもしくは金バンプにより接続されている。外部接続用端子１１はＬＣＤドライバーＩＣ１０に信号および電源を供給するための端子である。ＴＣＰ折り曲げ部１２はこの箇所でＴＣＰ９を折り曲げることができるようにした部分であり、この折り曲げ部では基板材料が除去され、配線をポリイミドでコーティングした構造となっている。
図５、図６に示したように、ＬＣＤ２の裏面側には導光板１４が配置され、ＡＦ基板２９Ａ上のＬＥＤランプ３７からの光は導光板１４により導かれてＬＣＤ２のバックライトとなる。
【００１７】
ＬＣＤ２を保持するＬＣＤフレーム１３は、特に図１に詳しく示したような構造を有している。
すなわち、ＬＣＤフレーム１３は、第１ないし第３の辺部材２０、３９、３０から成り第２の辺部材３９の両端部にそれぞれ第１および第３の辺部材２０、３０の一方の端部が接続されて平面視略コの字形を呈する枠体３４と、枠体３４の内面に端部が固定されて枠体３４の内側のほぼ全体に延在する板状のＬＣＤ保持部１８とを含んでいる。そして、第１ないし第３の辺部材２０、３９、３０のうちの少なくとも１つの辺部材の内面と、対向するＬＣＤ保持部１８の端部との間に、辺部材のほぼ全長にわたり隙間が形成されている。具体的には、本実施の形態例では、第１および第３の辺部材２０、３０の内面３８と、対向するＬＣＤ保持部１８の端部との間に、辺部材のほぼ全長にわたり隙間４２が形成されている。
【００１８】
また、第１および第３の辺部材２０、３０の下端には、枠体３４をＡＦ基板２９Ａに固定するための爪１７が突設されている。そして、枠体３４の第２の辺部材３９と反対側の、第１および第３の辺部材２０、３０の先端部近傍の箇所にはそれぞれ、枠体３４の内外を結ぶ貫通孔４４が形成され、貫通孔４４に楔４６を挿入したとき、ＬＣＤ保持部１８の、ＬＣＤ２と反対側の面４８は楔４６のＬＣＤ保持部１８側の面にほぼ接する。
【００１９】
このようなＬＣＤフレーム１３に対してＬＣＤ２はＬＣＤ保持部１８上に載置され、ＬＣＤ２に接続されたＴＣＰ９は、枠体３４の第２の辺部材３９と反対側の、第１および第３の辺部材２０、３０の先端部側から枠体３４の外に導出される。
なお、ＬＣＤフレーム１４の材料としては、樹脂や金属が好ましい。これらの材料では、成形や加工が容易であり、また弾性を持つためＬＣＤ保持部１８の緩衝効果を高めることができる。
ＬＣＤ２と導光板１４（図５など）は、表示視認性に影響しないようその周辺部を両面接着テープ３９で固定される。両面接着テープ３９で固定されたＬＣＤ２と導光板１４とはＬＣＤフレーム１３の上部枠体１５内に嵌めてＬＣＤ保持部１８に両面接着テープ４０で固定される。
なお、ＬＣＤ２と導光板１４をＬＣＤ保持部１８に両面接着テープ４０で固定する際、ＬＣＤフレーム１３の貫通孔４４に楔４６を差し込んでＬＣＤ保持部１８の動きを規制し組立やすくする。
【００２０】
ページャー１６の組立は以下のように行われる。
すなわち、ＡＦ基板２９Ａ上のＴＣＰ固定用ランド３６に、ＬＣＤモジュール１のＴＣＰ９の外部接続用端子１１が半田付けにより電気的・機械的に接続される。このＴＣＰ固定用ランド３６と外部接続用端子１１との接続方法としては、ＴＣＰ９とＡＦ基板２９Ａとを半田付けにより接続する方法以外にも、ＴＣＰ９とヒートシールを熱圧着接続したものをＡＦ基板２９Ａに熱圧着接続する方法、あるいはＴＣＰ９の外部接続端子１１をＡＦ基板２９Ａに実装したコネクタに接続する方法がある。
【００２１】
ＬＣＤフレーム１３は、図２に示したように、ＬＣＤフレーム１３の爪１７をＡＦ基板２９Ａの取り付け穴３５に嵌合させることで、ＡＦ基板２９Ａに機械的に固定される。このとき、ＬＣＤフレーム１３の枠体３４の下端面はＡＦ基板２９Ａの表面に当接した状態となる。
導光板１４はＬＣＤフレーム１３の枠体３４内に収めてＬＣＤ保持部１８に対し両面接着テープ４０で固定される。その際、ＬＣＤフレーム１３の貫通孔４４に楔４６を差し込んでＬＣＤ保持部１８の動きを規制し組み立て作業を容易に行えるようにすることができる。
【００２２】
ＬＣＤモジュール１のＴＣＰ９はＴＣＰ折り曲げ部１２からＬＣＤフレーム１３方向に折り曲げ、ＬＣＤ２を、すでにＬＣＤフレーム１３の枠体３４内に嵌めてある導光板１４に対して両面接着テープ３９により固定する。
次に、ＡＦ基板２９ＡとＲＦ基板２９をコネクタ５４により接続し、全体を電池２８と共に表ケース３１に収納し、最後に裏ケース３２を表ケース３１にネジなどで締結、固定する。
【００２３】
このように構成されたページャー１６では、表ケース３１および裏ケース３２に落下衝撃、曲げ、捻りなどの機械的なストレスが加わり、表ケース３１の内面がＬＣＤフレーム１３の枠体３４の上端面に直接当接することで、あるいは裏ケース３２からＲＦ基板２９およびＡＦ基板２９Ａを通じて枠体３４に間接的に力が加わることで枠体３４が変形したとしても、上述のように枠体３４を構成する第１および第３の辺部材２０、３０とＬＣＤ保持部１８の対向端部との間に、辺部材のほぼ全長にわたり隙間４２が形成されているので、ＬＣＤ保持部１８は第２の辺部材３９との接続部を支点として枠体３４に対して相対的にしなることができ、ＬＣＤ保持部１８に加わる力は大幅に緩和され、その結果、ＬＣＤ２に損傷が生じることを防止できる。
【００２４】
なお、本実施の形態例では、ＬＣＤ保持部１８は枠体３４の第２の辺部材３９とのみ接続されているとしたが、ＬＣＤ保持部１８が第１および第３の辺部材２０、３０のいずれかとのみ接続されていたり、あるいは第１ないし第３の辺部材２０、３９、３０のうちの２つと接続された構造としたり、さらには以下に第２の実施の形態例として説明するように第１ないし第３の辺部材２０、３９、３０すべてからほぼ切り離された構造することも可能であり、その場合にも枠体３４が変形したとき枠体３４からＬＣＤ保持部１８へ加わる力は緩和されるので、基本的に同様の効果が得られる。
【００２５】
本実施の形態例では、回路基板をＲＦ基板２９とＡＦ基板２９Ａとにより構成したが、これらを１枚の基板で構成することも可能であり、その場合にも本発明は無論有効である。
また、ここではページャーを一例として本発明について説明したが、本発明はページャーに限らず、ＬＣＤなどの表示装置を備えた装置、特に携帯型電子機器に広く適用することができ、その効果を発揮する。
【００２６】
次に、本発明の第２の実施の形態例について説明する。
図７は第２の実施の形態例のページャーを構成するＬＣＤフレームを示す平面図、（Ｂ）は同正面図、（Ｃ）は同側面図である。図中、図１と同一の要素には同一の符号が付されている。
図７に示したように、第２の実施の形態例では、ＬＣＤフレーム５０は、枠体３４の第１ないし第３の辺部材２０、３９、３０の内面３８と、対向するＬＣＤ保持部５２の端部との間に、辺部材のほぼ全長にわたり隙間４２が形成されている。そして、第１および第２の辺部材２０、３９の接続部近傍においてＬＣＤ保持部５２の端部の一部が第１の辺部材２０の内面３８に固定され、第３の辺部材３０の、第２の辺部材３９と反対側の端部近傍においてＬＣＤ保持部５２の端部の一部が第２の辺部材３９の内面３８に固定されている。
【００２７】
したがって、この第２の実施の形態例においては、表ケース３１および裏ケース３２に力が加わり、ＬＣＤフレーム５０の枠体３４が変形したとしても、ＬＣＤ２を固定したＬＣＤ保持部５２は第１ないし第３の辺部材２０、３９、３０のすべてからほぼ切り離された構造であるため、枠体３４からＬＣＤ保持部５２へ加わる力は大幅に緩和され、その結果、ＬＣＤ２に損傷が生じることをいっそう効果的に防止することができる。
【００２８】
なお、第１および第２の辺部材２０、３９の接続部近傍においてＬＣＤ保持部５２の端部の一部を第２の辺部材３９の内面３８に、または第１および第２の辺部材２０、３９の両方の内面３８に固定する構成とすることも可能であり、同様の効果が得られる。
【００２９】
【発明の効果】
以上説明したように本発明は、第１ないし第３の辺部材から成り、第２の辺部材の両端部にそれぞれ前記第１および第３の辺部材の一方の端部が接続されて平面視略コの字形を呈する枠体と、前記枠体の内面に端部が固定されて前記枠体の内側のほぼ全体に延在する保持部とを含み、おおむね板状を呈する平面視略矩形の表示装置が前記保持部の上に固定され、前記保持部は筐体に直接的または間接的に固定される表示装置の保持構造であって、前記第１ないし第３の辺部材のうちの少なくとも１つの辺部材の内面と、対向する前記保持部の端部との間に、前記辺部材のほぼ全長にわたり隙間が形成されていることを特徴とする。
また、本発明は、第１ないし第３の辺部材から成り、第２の辺部材の両端部にそれぞれ前記第１および第３の辺部材の一方の端部が接続されて平面視略コの字形を呈する枠体と、前記枠体の内面に端部が固定されて前記枠体の内側のほぼ全体に延在する保持部とを含み、おおむね板状を呈する平面視略矩形の表示装置が前記保持部の上に固定され、前記保持部は筐体に直接的または間接的に固定される表示装置の保持構造であって、前記第１ないし第３の辺部材のうちの少なくとも１つの辺部材の内面と、対向する前記保持部の端部との間に、前記辺部材のほぼ全長にわたり隙間が形成されており、前記保持部は板状を呈し、前記枠体の前記第２の辺部材と反対側の、前記第１および第３の辺部材の先端部近傍の箇所にはそれぞれ、前記枠体の内外を結ぶ貫通孔が形成され、前記貫通孔に楔を挿入したとき、前記保持部の、前記表示装置と反対側の面は前記楔の前記保持部側の面にほぼ接することを特徴とする。
【００３０】
したがって、本発明の表示装置の保持構造では、筐体に機械的なストレスが加わり枠体が変形したとしても、上述のように枠体を構成する第１ないし第３の辺部材のうちの少なくとも１つの辺部材の内面と、対向する保持部の端部との間に、辺部材のほぼ全長にわたり隙間が形成されているので、保持部に加わる力は大幅に緩和され、表示装置に損傷が生じることを防止できる。
【図面の簡単な説明】
【図１】（Ａ）は本発明による表示装置の保持構造の一例を示す平面図、（Ｂ）は正面図、（Ｃ）は側面図である。
【図２】図１の表示装置の保持構造を構成するＬＣＤフレームをプリント配線基板に取り付けた状態を示す側面図である。
【図３】（Ａ）は図１の表示装置の保持構造により保持するＬＣＤを示す平面図、（Ｂ）は側面図である。
【図４】実施の形態例の表示装置の保持構造を含むページャーの電気的な構成を示すブロック図である。
【図５】実施の形態例のページャーの分解斜視図である。
【図６】実施の形態例のページャーの分解側面図である。
【図７】（Ａ）は第２の実施の形態例のページャーを構成するＬＣＤフレームを示す平面図、（Ｂ）は同正面図、（Ｃ）は同側面図である。
【図８】（Ａ）は従来のＬＣＤの保持構造の一例を示す平面図、（Ｂ）は正面図、（Ｃ）は側面図である。
【符号の説明】
１……ＬＣＤモジュール、２……ＬＣＤ、３……表偏光板、４……表ガラス、５……裏ガラス、６……裏偏光板、８……ＡＣＦ樹脂、９……ＴＣＰ、１０……ＬＣＤドライバーＩＣ、１１……外部接続用端子、１２……ＴＣＰ折り曲げ部、１３……ＬＣＤフレーム、１３……ＬＣＤフレーム、１４……導光板、１６……ページャー、１７……爪、１８……ＬＣＤ保持部、２０……第１の辺部材、２２……アンテナ、２３……無線部、２４……復調器、２５……安定化電源、２６……制御部、２７……スイッチ、２８……電池、２９……ＲＦ基板、２９Ａ……ＡＦ基板、３０……第３の辺部材、３１……表ケース、３２……裏ケース、３３……スクリーン、３４……枠体、３５……穴、３６……ＴＣＰ固定用ランド、３７……ＬＥＤランプ、３８……内面、３９……第２の辺部材、４０……両面接着テープ、４２……隙間、４４……貫通孔、４６……楔、４８……面、５０……ＬＣＤフレーム、５２……ＬＣＤ保持部、１０２……ＬＣＤフレーム、１０４……保持部、１０６……開放部。
【図１】
0003570937.tif 000002
【図２】
0003570937.tif 000003
【図３】
0003570937.tif 000004
【図４】
0003570937.tif 000005
【図５】
0003570937.tif 000006
【図６】
0003570937.tif 000007
【図７】
0003570937.tif 000008
【図８】
0003570937.tif 000009